(57)【特許請求の範囲】
【請求項１】
光源を点灯させる電源装置を備える光源ユニットと、
前記光源ユニットを着脱自在に取り付ける照明器具と
を備え、
前記照明器具は、
前記電源装置に供給する電力を伝達する第１の電線が結線される電源端子台と、
前記光源を制御する信号を伝達する第２の電線が結線される信号端子台と、
前記第１の電線を結線すると共に前記第２の電線を結線する器具側コネクタと
を備え、
前記電源装置は、
電力を受電する電源端子ブロックと、前記光源を制御する信号を受信する信号端子ブロックとを備えた点灯回路ユニットを内部に収納する電源ケースであって、前記電源端子ブロックに接続される電源用電線と前記信号端子ブロックに接続される信号用電線とが内部から延びている電源ケースと、
前記電源用電線と前記信号用電線とを結線するユニット側コネクタと
を備え、
前記ユニット側コネクタは、前記器具側コネクタと接続される照明装置。
【請求項２】
前記器具側コネクタは、
前記第１の電線に電気的に接続する器具側電源接続部と、前記第２の電線に電気的に接続する器具側信号接続部とを備え、
前記ユニット側コネクタは、
前記電源用電線に電気的に接続されるユニット側電源接続部を備え、
前記器具側コネクタと前記ユニット側コネクタとが接続されると、前記器具側電源接続部と前記ユニット側電源接続部とが接続状態となると共に、前記器具側信号接続部は非接続状態となる請求項１に記載の照明装置。
【請求項３】
前記器具側コネクタは、
前記第１の電線に電気的に接続する器具側電源接続部と、前記第２の電線に電気的に接続する器具側信号接続部とを備え、
前記ユニット側コネクタは、
前記電源用電線に電気的に接続されるユニット側電源接続部と、前記信号用電線に電気的に接続されるユニット側信号接続部を備え、
前記器具側コネクタと前記ユニット側コネクタとが接続されると、前記器具側電源接続部と前記ユニット側電源接続部とが接続状態となると共に、前記器具側信号接続部と前記ユニット側信号接続部とが接続状態となる請求項２に記載の照明装置。
【請求項４】
前記照明器具は、
底部を有する凹部を備え、前記底部に前記電源端子台と前記信号端子台とが取り付けられ、
前記光源ユニットは、
前記光源が取り付けられる発光面部と、前記電源装置が取り付けられる取付面部であって前記発光面部の裏面である取付面部とを備え、前記取付面部が前記凹部を塞ぐように、前記凹部に取り付けられる請求項１から請求項３のいずれか１項に記載の照明装置。
【請求項５】
光源を点灯させる電源装置を備える光源ユニットを着脱自在に取り付ける照明器具において、
前記電源装置に供給する電力を伝達する第１の電線が結線される電源端子台と、
前記光源を制御する信号を伝達する第２の電線が結線される信号端子台と、
前記第１の電線を結線すると共に前記第２の電線を結線する器具側コネクタと
を備え、
前記電源装置は、
電力を受電する電源端子ブロックと、前記光源を制御する信号を受信する信号端子ブロックとを備えた点灯回路ユニットを内部に収納する電源ケースであって、前記電源端子ブロックに接続される電源用電線と前記信号端子ブロックに接続される信号用電線とが内部から延びている電源ケースと、
前記電源用電線と前記信号用電線とを結線するユニット側コネクタと
を備え、
前記ユニット側コネクタは、前記器具側コネクタと接続される照明器具。
【請求項６】
光源を備え、照明器具に着脱自在に取り付けられる光源ユニットにおいて、
前記光源を点灯する電源装置を備え、
前記照明器具は、
前記電源装置に供給する電力を伝達する第１の電線が結線される電源端子台と、
前記光源を制御する信号を伝達する第２の電線が結線される信号端子台と、
前記第１の電線を結線すると共に前記第２の電線を結線する器具側コネクタと
を備え、
前記電源装置は、
電力を受電する電源端子ブロックと、前記光源を制御する信号を受信する信号端子ブロックとを備えた点灯回路ユニットを内部に収納する電源ケースであって、前記電源端子ブロックに接続される電源用電線と前記信号端子ブロックに接続される信号用電線とが内部から延びている電源ケースと、
前記電源用電線と前記信号用電線とを結線するユニット側コネクタと
を備え、
前記ユニット側コネクタは、前記器具側コネクタと接続される光源ユニット。
【発明の詳細な説明】
【技術分野】
【０００１】
本発明は、照明装置、照明器具及び光源ユニットに関するものである。
【背景技術】
【０００２】
照明器具に光源ユニットを着脱する照明装置において、照明器具と光源ユニットとの間に機能を付加する技術がある（例えば、特許文献１参照）。
【先行技術文献】
【特許文献】
【０００３】
【特許文献１】特開２０１４−１７０６８２号公報
【発明の概要】
【発明が解決しようとする課題】
【０００４】
しかしながら、電源端子台と電源との間に機能付加部品を取り付ける場合、電源側がその機能に対応しておらず、不具合が生じる恐れがあった。また、光源ユニットを照明器具に取り付ける際、付加機能部品自体や接続に用いる電線が多くなり、作業が品雑になるという課題があった。
【０００５】
本発明は、コネクタの接続作業性を向上させることを目的とする。
【課題を解決するための手段】
【０００６】
本発明に係る照明装置は、光源を点灯させる電源装置を備える光源ユニットと、前記光源ユニットを着脱自在に取り付ける照明器具とを備え、前記照明器具は、前記電源装置に供給する電力を伝達する第１の電線が結線される電源端子台と、前記光源を制御する信号を伝達する第２の電線が結線される信号端子台と、前記第１の電線を結線すると共に前記第２の電線を結線する器具側コネクタとを備える。
【発明の効果】
【０００７】
本発明では、照明器具が、電源装置に供給する電力を伝達する第１の電線が結線される電源端子台と、光源を制御する信号を伝達する第２の電線が結線される信号端子台と、第１の電線を結線すると共に第２の電線を結線する器具側コネクタとを備えるので、照明器具に機能を付加する際のコネクタの接続作業性を向上させることができる。
【図面の簡単な説明】
【０００８】
【図１】実施の形態１に係る照明装置を示す斜視図。
【図２】実施の形態１に係る照明装置を示す４面図。
【図３】実施の形態１に係る照明器具を示す４面図。
【図４】実施の形態１に係る第１のコネクタ及び第２のコネクタを示す模式図であり、（ａ）は斜視図、（ｂ）は正面図である。
【図５】実施の形態１に係る照明器具を複数設置する場合の使用例を示す正面図。
【図６】実施の形態１に係る光源ユニットを示す４面図。
【図７】実施の形態２に係る照明装置を示す４面図。
【図８】実施の形態２に係る器具側コネクタを示す図であり、（ａ）は斜視図、（ｂ）は正面図である。
【図９】実施の形態２に係る光源ユニットを示す４面図。
【図１０】実施の形態２に係るユニット側コネクタを示す模式図であり、（ａ）は正面図、（ｂ）は器具側コネクタと接続された状態の一例を示す図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１０】
実施の形態１．
＊＊＊構成の説明＊＊＊
図１から図６を参照して、本実施の形態に係る装置である照明装置１００の構成について説明する。
図１は、本実施の形態に係る照明装置１００を示す斜視図である。図２は、本実施の形態に係る照明装置１００を示す４面図である。図３は、本実施の形態に係る照明器具１０を示す４面図である。図４は、本実施の形態に係る第１のコネクタ１３ｂ、第２のコネクタ１４ｂを模式的に示した図であり、（ａ）は斜視図、（ｂ）は正面図である。図５は、本実施の形態に係る照明器具１０を複数設置する場合の使用例を示す正面図である。図６は、本実施の形態に係る光源ユニット２００を示す４面図である。
【００１１】
図１に示すように、照明装置１００は、長尺状の照明器具１０と、この照明器具１０に取り付けられる光源ユニット２００とを備える。照明器具１０の両端部には、端板１１ｃが取り付けられる。光源ユニット２００は、光源を点灯させる電源装置２０ｂを備える。照明器具１０は、光源ユニット２００を着脱自在に取り付ける。
【００１２】
図２は、照明装置１００の正面図、端面図、側面図、裏面図を示している。また、図３は、照明器具１０の正面図、端面図、側面図、裏面図を示している。図２及び図３の端面図において、端板１１ｃに設けられた孔等の図示は省略している。
【００１３】
図３に示すように、照明器具１０は、電源装置２０ｂに供給する電力を伝達する第１の電線１３ａが結線される電源端子台１３と、光源を制御する信号を伝達する第２の電線１４ａが結線される信号端子台１４とを備える。また、第１の電線１３ａを結線する第１のコネクタ１３ｂと、第２の電線を結線する第２のコネクタ１４ｂとを備える。
【００１４】
照明器具１０は、器具本体１１と、器具本体１１に取り付けられる２つの取付バネ１２と、外部から引き込まれる電源線が取り付けられる電源端子台１３と、外部から引き込まれる信号線が取り付けられる信号端子台１４とを備える。信号線は、調光信号など、外部から光源を制御する信号を伝達する。
【００１５】
照明器具１０は、底部１１０１ｂを有する凹部を備え、底部１１０１ｂに電源端子台１３と信号端子台１４とが取り付けられる。凹部１１ｂは、短手方向の中央部に長尺に設けられる。
器具本体１１は、凹部１１ｂの長尺の両縁部から傾斜して形成された２つの傾斜部１１ａを備える。凹部１１ｂは、この２つの傾斜部１１ａに挟まれるように形成される。また、器具本体１１は、傾斜部１１ａ及び凹部１１ｂの長手方向の両端部に取り付けられる２つの端板１１ｃを備える。
【００１６】
凹部１１ｂは、長手方向の両側に取付バネ１２が取り付けられ、その取付バネ１２の間に、電源端子台１３と信号端子台１４とが取り付けられる。電源端子台１３と信号端子台１４との間には、電源線や信号線を内部に引き込む電線孔１６が形成されている。
【００１７】
電源端子台１３は、第１の電線１３ａと、この第１の電線１３ａの先端に取り付けられる第１のコネクタ１３ｂとを備えている。
【００１８】
図４の（ａ）、図４の（ｂ）に示すように、第１のコネクタ１３ｂは、電源端子台１３側の第１の電線に取り付けられる給電ピン１３ｂａと、給電ピン１３ｂａを収納するコネクタ本体１３ｂｂとを備える。給電ピン１３ｂａは、器具側電源接続部１３０１の一例である。すなわち、第１のコネクタ１３ｂは、第１の電線１３ａに電気的に接続する器具側電源接続部１３０１を備える。
【００１９】
コネクタ本体１３ｂｂは、例えば、角型形状をなし、給電ピン１３ｂａを収納する給電ピン収納部１３ｂｂａと、後述する第３のコネクタ２０ｂｅを係止する係止凸部１３ｂｂｂを備える。
【００２０】
信号端子台１４は、第２の電線１４ａと、この第２の電線１４ａの先端に取り付けられる第２のコネクタ１４ｂを備えている。
【００２１】
図４の（ａ）、図４の（ｂ）に示すように、第２のコネクタ１４ｂは、信号端子台１４側の電線１４ａに取り付けられる信号ピン１４ｂａと、信号ピン１４ｂａを収納するコネクタ本体１４ｂｂとを備える。信号ピン１４ｂａは、器具側信号接続部１４０１の一例でる。すなわち、第２のコネクタ１４ｂは、第２の電線１４ａに電気的に接続する器具側信号接続部１４０１を備える。
【００２２】
コネクタ本体１４ｂｂは、例えば、角型形状をなし、信号ピン１４ｂａを収納する信号ピン収納部１４ｂｂａと、後述する第４のコネクタ２０ｂｆを係止する係止凸部１４ｂｂｂを備える。
【００２３】
なお、ここでは、第１のコネクタ１３ｂと第２のコネクタ１４ｂとは同一の形状であるものとしているが、異なる形状でもよい。第１のコネクタ１３ｂと第２のコネクタ１４ｂとの形状は、第１のコネクタ１３ｂと第２のコネクタ１４ｂとの区別がつき易いように異なる形状であることが好ましい。
【００２４】
図５では、３つの照明器具１０Ａ，１０Ｂ，１０Ｃが長手方向に隣接して取り付けられている。３つの照明器具１０Ａ，１０Ｂ，１０Ｃの構成部には、それぞれが配置された照明器具の添え字Ａ，Ｂ，Ｃと同一の添え字を付して説明する。
照明器具１０Ａには、電源線１６ａと信号線１６ｂとが凹部１１ｂＡに外部から引き込まれる。このように、電源端子台１３Ｂと信号端子台１４Ｂとに結線する電源線１６ａと信号線１６ｂとをそれぞれ凹部１１ｂの長手方向の両側に離した状態で、各電線を端子台に留めることができる。そのため、照明装置１００を長手方向に並べ、それぞれの照明装置１００の凹部１１ｂに送り電線１７ａ，１７ｂを入れた場合、それぞれの電線間の距離を離すことができる。
【００２５】
図６は、光源ユニット２００の正面図、端面図、側面図、裏面図を示している。
光源ユニット２００は、取付板２０ａと、この取付板２０ａに取り付けられる電源装置２０ｂと、光源モジュール２０ｃと、この光源モジュール２０ｃを覆うように取付板２０ａに取り付けられる透光性カバー２０ｄとを備える。光源モジュール２０ｃには、複数のＬＥＤを光源として、長手方向に並べて配置されている。
本実施の形態では、光源として複数のＬＥＤを用いているが、光源には有機ＥＬあるいはレーザといったＬＥＤ以外の発光素子を用いてもよい。
【００２６】
光源ユニット２００は、取付板２０ａにより照明器具１０の凹部１１ｂを塞ぐように、凹部１１ｂに着脱可能に取り付けられる。すなわち、取付板２０ａは、光源が取り付けられる発光面部２０ａｂと、電源装置２０ｂが取り付けられる取付面部２０ａｃであって発光面部２０ａｂの裏面である取付面部２０ａｃとを備える。光源ユニット２００は、取付面部２０ａｃが凹部１１ｂを塞ぐように、凹部１１ｂに取り付けられる。
【００２７】
電源装置２０ｂは、電力を受電する電源端子ブロック２０ｂｂａと、電源端子ブロック２０ｂｂａに接続される電源用電線２０ｂｃと、電源用電線２０ｂｃを結線する第３のコネクタ２０ｂｅとを備える。第３のコネクタ２０ｂｅは、照明器具１０の第１のコネクタ１３ｂと接続される。
電源装置２０ｂは、さらに、光源を制御する信号を受信する信号端子ブロック２０ｂｂｂと、信号端子ブロック２０ｂｂｂに接続される信号用電線２０ｂｄと、信号用電線２０ｂｄを結線する第４のコネクタ２０ｂｆとを備える。第４のコネクタ２０ｂｆは、照明器具１０の第２のコネクタ１４ｂと接続される。
【００２８】
電源装置２０ｂは、電源ケース２０ｂａと、電源ケース２０ｂａに収納される点灯回路ユニット２０ｂｂと、点灯回路ユニット２０ｂｂに接続される電源用電線２０ｂｃ、信号用電線２０ｂｄを備える。上述のように、この電源用電線２０ｂｃ、信号用電線２０ｂｄには、それぞれ第３のコネクタ２０ｂｅ、第４のコネクタ２０ｂｆが接続される。
点灯回路ユニット２０ｂｂは、回路基板と、この回路基板に実装される出力端子ブロックであって光源モジュール２０ｃに電線を介して接続される出力端子ブロックと、電源端子ブロック２０ｂｂａと、信号端子ブロック２０ｂｂｂとを備える。なお、信号端子ブロック２０ｂｂｂは、点灯回路ユニット２０ｂｂ、すなわち回路基板が調光機能などを有しており、外部から制御信号を受けて動作する場合に実装されるものであり、必ずしも信号端子ブロック２０ｂｂｂは実装されているわけではない。
なお、ここでは、光源モジュール２０ｃと出力端子ブロックとを接続する電線についても図示を省略する。
【００２９】
電源端子ブロック２０ｂｂａには、電源用電線２０ｂｃ、第３のコネクタ２０ｂｅが接続され、信号端子ブロック２０ｂｂｂには、信号用電線２０ｂｄ、第４のコネクタ２０ｂｆが接続される。したがって、点灯回路ユニット２０ｂｂに、信号端子ブロックを備えていない場合には、信号用電線２０ｂｄ、第４のコネクタ２０ｂｆは不要である。
【００３０】
光源ユニット２００を照明器具１０に取り付ける際、第１のコネクタ１３ｂは第３のコネクタ２０ｂｅに接続し、第２のコネクタ１４ｂは第４のコネクタ２０ｂｆに接続する。なお、第４のコネクタ２０ｂｆを有さない光源ユニット２００を照明器具１０に取り付ける場合は、第２のコネクタ１４ｂは未接続の状態で、器具本体１１の凹部１１ｂに収納する。
【００３１】
第３のコネクタ２０ｂｅは、電源用電線２０ｂｃに電気的に接続される受電ピンを備える。受電ピンはユニット側電源接続部２００１の一例である。
第４のコネクタ２０ｂｆは、信号用電線２０ｂｄに電気的に接続される信号受信ピンを備える。信号受信ピンは、ユニット側信号接続部２００２の一例である。
【００３２】
光源ユニット２００が第４のコネクタ２０ｂｆを有していない場合には、第１のコネクタ１３ｂと第３のコネクタ２０ｂｅとが接続されると、器具側電源接続部１３０１とユニット側電源接続部２００１とが接続状態となると共に、器具側信号接続部１４０１は何も接続されない非接続状態となる。
【００３３】
光源ユニット２００が第４のコネクタ２０ｂｆを有している場合には、第１のコネクタ１３ｂと第３のコネクタ２０ｂｅが接続されると、器具側電源接続部１３０１とユニット側電源接続部２００１とが接続状態となり、第２のコネクタ１４ｂと第４のコネクタ２０ｂｆとが接続されると、器具側信号接続部１４０１とユニット側信号接続部２００２とが接続状態となる。
【００３４】
なお、第３のコネクタ２０ｂｅのコネクタの形状は、第１のコネクタ１３ｂと係合する形状である。また、第４のコネクタ２０ｂｆのコネクタの形状は、第２のコネクタ１４ｂと係合する形状である。第３のコネクタ２０ｂｅと第４のコネクタ２０ｂｆの形状は、同一でもよいし、異なっていてもよい。
誤って第３のコネクタ２０ｂｅと第２のコネクタ１４ｂとを接続することが無いように、第３のコネクタ２０ｂｅと第２のコネクタ１４ｂとは互いに係合しない形状とすることが好ましい。同様に、第４のコネクタ２０ｂｆと第１のコネクタ１３ｂとを接続することが無いように、第４のコネクタ２０ｂｆと第１のコネクタ１３ｂとは互いに係合しない形状とすることが好ましい。
【００３５】
＊＊＊効果の説明＊＊＊
本実施の形態によれば、電源端子台１３と信号端子台１４とを器具本体１１側に取り付けることによって、照明器具１０を天井などの被取付部分に固定したとき、電源線と信号線とをそれぞれ電源端子台１３と信号端子台１４に結線を行うことができる。また、電源端子台１３に接続された第１のコネクタ１３ｂ、信号端子台１４に接続された第２のコネクタ１４ｂを介して光源ユニット２００と結線するので、結線作業の作業性が向上する。
【００３６】
また、本実施の形態によれば、電線孔を挟んで電源端子台１３と信号端子台１４とが配置されているので、電源端子台１３と信号端子台１４とにそれぞれ結線する電源線と信号線とを凹部１１ｂの両側に離した状態で留めることができる。また、照明装置１００を長手方向に並べ、それぞれの照明装置１００の凹部１１ｂに送り電線を入れた場合、それぞれの電線間の距離を離すことができる。よって、電線が互いに与える電気ノイズの影響を低減することができる。
【００３７】
また、本実施の形態によれば、調光機能のない点灯回路ユニット２０ｂｂを用いた場合であっても、第１のコネクタ１３ｂに接続し、第２のコネクタ１４ｂを未接続の状態で使用することができる。よって、ユーザーが光源ユニット２００の種類を選択することにより、共通の照明器具１０で照明装置１００の機能を容易に選択、変更することができる。
【００３８】
また、第１のコネクタ１３ｂと第３のコネクタ２０ｂｅを第１の色、例えば赤色で、かつ第１の形状とし、第２のコネクタ１４ｂと第４のコネクタ２０ｂｆとを第２の色、例えば青色で、かつ第２の形状とする。このように、接続するコネクタの組毎に色と形を変えることにより、作業者が結線する際に、誤接続することがなく、また、色によりどちらに接続するとよいか視覚的に判断し易くすることができる。
【００３９】
実施の形態２．
＊＊＊構成の説明＊＊＊
本実施の形態では、主に、実施の形態１と異なる点について説明する。
実施の形態１と同様の構成部には同一の符号を付し、その説明を省略する場合がある。
【００４０】
図７から図９を参照して、本実施の形態に係る装置である照明装置１００ａの構成について説明する。
図７は、本実施の形態に係る照明装置１００ａを示す４面図である。図８は、本実施の形態に係る器具側コネクタ１５を示す図であり、（ａ）は斜視図、（ｂ）は正面図である。図９は、本実施の形態に係る光源ユニット２００ａを示す４面図である。図１０は、本実施の形態に係るユニット側コネクタ２５を示す図であり、（ａ）は正面図、（ｂ）は器具側コネクタ１５と接続された状態の一例を示す図である。
【００４１】
図７は、実施の形態１で説明した図３に対応する。図７において図３と異なる点は、電源端子台１３に接続された電線１３ａと、信号端子台１４に接続された電線１４ａとは共通の器具側コネクタ１５に接続される点である。
図７に示すように、照明器具１０ａは、第１の電線１３ａが結線される電源端子台１３と、第２の電線１４ａが結線される信号端子台１４と、第１の電線１３ａを結線すると共に第２の電線１４ａを結線する器具側コネクタ１５とを備える。電源端子台１３と信号端子台１４とにそれぞれ電線１３ａ，１４ａが取り付けられ、これらの電線１３ａ，１４ａの先端に共通の器具側コネクタ１５を備える。
【００４２】
図８の（ａ）、図８の（ｂ）に示すように、電線１３ａ，１４ａに共通の器具側コネクタ１５は、電源端子台１３の側の第１の電線１３ａに取り付けられる給電ピン１５１３ａと、信号端子台１４の側の第２の電線１４ａに取り付けられる信号ピン１５１４ａと、給電ピン１５１３ａと信号ピン１５１４ａとを収納するコネクタ本体１５ｃとを備える。給電ピン１５１３ａは、第１の電線１３ａに電気的に接続する器具側電源接続部１３０１の一例である。また、信号ピン１５１４ａは、第２の電線１４ａに電気的に接続する器具側信号接続部１４０１の一例である。
【００４３】
コネクタ本体１５ｃは、例えば、角型形状をなし、給電ピン１５１３ａ、信号ピン１５１４ａをそれぞれ収納する収納部１５ｃａ、１５ｃｂと、後述するユニット側コネクタ２５を係止する係止凸部１５ｃｃとを備える。
【００４４】
図８の（ｂ）に示すように、器具側コネクタ１５において、給電ピン同士の間隔Ｌ１，Ｌ２は、５ｍｍ以上であることが望ましい。また、給電ピンと信号ピンとの間隔Ｌ３についても５ｍｍ以上であることが好ましい。
【００４５】
図９は、実施の形態１で説明した図６に対応する。図９において図６と異なる点は、電源端子ブロック２０ｂｂａに接続された電源用電線２０ｂｃと、信号端子ブロック２０ｂｂｂに接続された信号用電線２０ｂｄとが共通のユニット側コネクタ２５に接続される点である。
図９に示すように、電源端子ブロックと信号端子ブロックとにそれぞれ電源用電線２０ｂｃ、信号用電線２０ｂｄが取り付けられ、これらの電源用電線２０ｂｃ、信号用電線２０ｂｄの先端に、共通のユニット側コネクタ２５を備える。
すなわち、ユニット側コネクタ２５は、電源用電線２０ｂｃを結線すると共に、信号用電線２０ｂｄを結線する。ユニット側コネクタ２５は、器具側コネクタ１５と接続される。
【００４６】
実施の形態１で説明したものと同様に、本実施の形態に係る光源ユニット２００ａでは、取付板２０ａ、この取付板２０ａに取り付けられる電源装置２０ｂ、光源モジュール２０ｃ、この光源モジュール２０ｃを覆うように取付板２０ａに取り付けられる透光性カバー２０ｄを備える。電源装置２０ｂは、電源ケース２０ｂａと、電源ケースに収納される点灯回路ユニット２０ｂｂを備える。
そして、本実施の形態では、点灯回路ユニット２０ｂｂに接続される電源用電線２０ｂｃと信号用電線２０ｂｄとに共通に接続されるユニット側コネクタ２５を備える。
【００４７】
また、実施の形態１で説明したものと同様に、本実施の形態に係る光源ユニット２００ａでは、点灯回路ユニット２０ｂｂは、回路基板と、この回路基板に実装される出力端子ブロック、電源端子ブロック２０ｂｂａ、信号端子ブロック２０ｂｂｂを備える。信号端子ブロック２０ｂｂｂは、点灯回路ユニット２０ｂｂ、すなわち回路基板が調光機能などを有しており、外部から制御信号を受けて動作する場合に実装されるものであり、必ずしも信号端子ブロックは実装されているわけではない。
【００４８】
点灯回路ユニット２０ｂｂ及びユニット側コネクタ２５に接続される電線は、電源用電線２０ｂｃと信号用電線２０ｂｄとの二つ、または電源用電線２０ｂｃの一つである。
これは、上述のように、点灯回路ユニット２０ｂｂに、外部から制御信号を受けて動作する機能があるか、否かで、信号端子ブロックの有無が決定されるため、信号端子ブロック２０ｂｂｂがない場合は信号用電線２０ｂｄを有しておらず、信号端子ブロック２０ｂｂｂがある場合は信号用電線２０ｂｄを有することとなる。
図９の例では、光源ユニット２００ａが、電源用電線２０ｂｃと信号用電線２０ｂｄとの二つの電線を有する場合を示している。
【００４９】
図１０の（ａ）に示すように、ユニット側コネクタ２５は、電源用電線２０ｂｃに取り付けられる受電ピン２５ｂｄａと、信号用電線２０ｂｄに取り付けられる受信用信号ピン２５ｂｄｂと、受電ピン２５ｂｄａと受信用信号ピン２５ｂｄｂとを収納するコネクタ本体２５ｂｄｃとを備える。
受電ピン２５ｂｄａは、電源用電線２０ｂｃに電気的に接続されるユニット側電源接続部２００１の一例である。受信用信号ピン２５ｂｄｂは、信号用電線２０ｂｄに電気的に接続されるユニット側信号接続部２００２の一例である。
なお、信号用電線２０ｂｄがない場合は、受信用信号ピン２５ｂｄｂを有しておらず、コネクタ本体２５ｂｄｃの形状を、受電ピン２５ｂｄａのみを収納する形状としてもよい。
【００５０】
光源ユニット２００ａが信号用電線２０ｂｄを有していない場合には、器具側コネクタ１５とユニット側コネクタ２５とが接続されると、器具側電源接続部１３０１とユニット側電源接続部２００１とが接続状態となると共に、器具側信号接続部１４０１は何も接続されない非接続状態となる。
また、光源ユニット２００ａが信号用電線２０ｂｄを有している場合には、器具側コネクタ１５とユニット側コネクタ２５とが接続されると、器具側電源接続部１３０１とユニット側電源接続部２００１とが接続状態となると共に、器具側信号接続部１４０１とユニット側信号接続部２００２とが接続状態となる。
【００５１】
器具側コネクタ１５とユニット側コネクタ２５とを接続する際、天地を誤って接続することが無いように、コネクタ本体１５ｃとコネクタ本体２５ｂｄｃとの表面に、正しく接続する場合に合わせるマークを付してもよい。図１０の（ｂ）では、正しく器具側コネクタ１５とユニット側コネクタ２５とを接続した場合には、マークが一直線になる状態を示している。マークは直線以外でもよい。
また、器具側コネクタ１５とユニット側コネクタ２５とを正しい方向でしか接続できない形状にしてもよい。また、コネクタ本体１５ｃとコネクタ本体２５ｂｄｃとのそれぞれの表面を、電源側と信号側とで色分けしてもよい。
【００５２】
＊＊＊効果の説明＊＊＊
本実施の形態によれば、電源線と信号線とを共通の器具側コネクタ１５でまとめたので、光源ユニットへの接続をユニット側コネクタ２５一つを取り付けることで電源端子台１３と信号端子台１４と電源装置２０ｂとを結線でき、取り付け作業を簡便化することができる。
【００５３】
また、器具側コネクタ１５とユニット側コネクタ２５の結線のみで、電源端子台１３と信号端子台１４と電源装置２０ｂとを接続することができるので、電源線または信号線の一方の結線忘れなど、コネクタ接続作業時に発生する恐れのある作業ミスを抑制することができる。
【００５４】
また、調光機能のない点灯回路ユニット２０ｂｂを用いた場合、電源用電線２０ｂｃのみが接続されているユニット側コネクタ２５であっても、器具側コネクタ１５に接続することができるので、ユーザーが光源ユニットの種類を選択することにより、共通の照明器具で照明装置の機能を容易に選択、変更することができる。
【００５５】
上記の実施の形態１，２では、照明器具が予め信号端子台を備える構成について説明したが、信号端子台は着脱可能な構成でもよい。照明器具は、選択した光源ユニットに応じて、信号端子台を配置するか否かを選択することができる構成でもよい。
【００５６】
また、上記の実施の形態１，２で説明した、第１のコネクタ、第２のコネクタ、第３のコネクタ、第４のコネクタ、器具側コネクタ、ユニット側コネクタの形状は、一例である。実施の形態１，２で説明した機能を実現することができれば、上記以外の形状、構成でも構わない。
【００５７】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００５８】
１０，１０ａ，１０Ａ，１０Ｂ，１０Ｃ  照明器具、１１  器具本体、１１ａ  傾斜部、１１ｂ，１１ｂＡ  凹部、１１ｃ  端板、１２  取付バネ、１３，１３Ｂ  電源端子台、１３ａ  電線、１３ｂ  第１のコネクタ、１３ｂａ  給電ピン、１３ｂｂ  コネクタ本体、１３ｂｂａ  給電ピン収納部、１３ｂｂｂ  係止凸部、１４，１４Ｂ  信号端子台、１４ａ  電線、１４ｂ  第２のコネクタ、１４ｂａ  信号ピン、１４ｂｂ  コネクタ本体、１４ｂｂａ  信号ピン収納部、１４ｂｂｂ  係止凸部、１５  器具側コネクタ、１５ｃ  コネクタ本体、１５ｃａ，１５ｃｂ  収納部、１５ｃｃ  係止凸部、１６  電線孔、１６ａ  電源線、１６ｂ  信号線、１７ａ，１７ｂ  送り電線、２０ａ  取付板、２０ａｂ  発光面部、２０ａｃ  取付面部、２０ｂ  電源装置、２０ｂａ  電源ケース、２０ｂｂ  点灯回路ユニット、２０ｂｂａ  電源端子ブロック、２０ｂｂｂ  信号端子ブロック、２０ｂｃ  電源用電線、２０ｂｄ  信号用電線、２０ｂｅ  第３のコネクタ、２０ｂｆ  第４のコネクタ、２０ｃ  光源モジュール、２０ｄ  透光性カバー、２５  ユニット側コネクタ、２５ｂｄ  コネクタ本体、２５ｂｄａ  受電ピン、２５ｂｄｂ  受信用信号ピン、２５ｂｄｃ  コネクタ本体、１００，１００ａ  照明装置、２００，２００ａ  光源ユニット、１１０１ｂ  底部、１３０１  器具側電源接続部、１４０１  器具側信号接続部、１５１３ａ  給電ピン、１５１４ａ  信号ピン、２００１  ユニット側電源接続部、２００２  ユニット側信号接続部。
【図１】
0006489863.tif 000002
【図２】
0006489863.tif 000003
【図３】
0006489863.tif 000004
【図４】
0006489863.tif 000005
【図５】
0006489863.tif 000006
【図６】
0006489863.tif 000007
【図７】
0006489863.tif 000008
【図８】
0006489863.tif 000009
【図９】
0006489863.tif 000010
【図１０】
0006489863.tif 000011